(57)【要約】【課題】従来の電気ストーブでは、ヒータから放射される熱によってガード部材が高温となるため、ユーザがガード部材に触れると火傷するおそれがある。【解決手段】この電気ストーブ１は、ヒータ４と、ヒータ４の後方に配置され、ヒータ４から放射される熱を前方に反射する反射板５と、反射板５よりも前方側の領域と反射板５よりも後方側の領域とにまたがって配置されたガード部材６とを有する。そして、ガード部材６の少なくとも一部が、反射板５よりも前方側の領域と反射板５よりも後方側の領域との間を移動する。【選択図】図１
2016020762.tif 000002
【特許請求の範囲】
【請求項１】
ヒータと、
前記ヒータの後方に配置され、当該ヒータから放射される熱を前方に反射する反射板と、
前記反射板よりも前方側の領域と前記反射板よりも後方側の領域とにまたがって配置されたガード部材とを備え、
前記ガード部材の少なくとも一部が、
前記反射板よりも前方側の領域と前記反射板よりも後方側の領域との間を移動することを特徴とする電気ストーブ。
【請求項２】
前記ガード部材が、
前記ヒータおよび前記反射板の周囲を取り囲むように配置されるとともに、前記ヒータおよび前記反射板の周囲を回転することを特徴とする請求項１に記載の電気ストーブ。
【請求項３】
前記ガード部材の駆動異常を検出する検出手段を有し、
前記検出手段によって前記ガード部材の駆動異常が検出された場合に、前記ガード部材の駆動が停止されることを特徴とする請求項１または２に記載の電気ストーブ。
【請求項４】
前記ガード部材の駆動が停止された場合に、前記ヒータが停止されることを特徴とする請求項３に記載の電気ストーブ。
【発明の詳細な説明】
【技術分野】
【０００１】
本発明は、ヒータを有する電気ストーブに関する。
【背景技術】
【０００２】
従来の電気ストーブとしては、ヒータと、ヒータの後方に配置され、ヒータから放射される熱を前方に反射する反射板と、ヒータの前方を覆うように配置され、ユーザがヒータに直接触れるのを防止するガード部材とを備えたものがある。
【先行技術文献】
【特許文献】
【０００３】
【特許文献１】実開平６−２２８１８号公報
【発明の概要】
【発明が解決しようとする課題】
【０００４】
上記のような電気ストーブでは、ヒータから放射される熱によってガード部材が高温となるため、ユーザがガード部材に触れると火傷するおそれがある。
【０００５】
そこで、本発明の目的は、ガード部材が高温となるのを防止できる電気ストーブを提供することである。
【０００６】
第１の発明にかかる電気ストーブは、ヒータと、前記ヒータの後方に配置され、当該ヒータから放射される熱を前方に反射する反射板と、前記反射板よりも前方側の領域と前記反射板よりも後方側の領域とにまたがって配置されたガード部材とを備え、前記ガード部材の少なくとも一部が、前記反射板よりも前方側の領域と前記反射板よりも後方側の領域との間を移動することを特徴とする。
【０００７】
この電気ストーブでは、ヒータから放射される熱が当たる反射板よりも前方側の領域で熱せられたガード部材が、ヒータから放射される熱が当たらない反射板よりも後方側の領域に移動することで冷やされるので、反射板よりも前方側の領域と反射板よりも後方側の領域との間でガード部材を行き来させることで、ガード部材が高温となるのを防止できる。
【０００８】
第２の発明にかかる電気ストーブは、第１の発明にかかる電気ストーブにおいて、前記ガード部材が、前記ヒータおよび前記反射板の周囲を取り囲むように配置されるとともに、前記ヒータおよび前記反射板の周囲を回転することを特徴とする。
【０００９】
この電気ストーブでは、ガード部材の全てが、反射板よりも前方側の領域と反射板よりも後方側の領域とを行き来するので、ガード部材が高温となるのを防止しやすい。また、ガード部材が、例えばヒータおよび反射板の周囲において往復駆動する構成の場合には、最後に前方側の領域から後方側の領域に移動した部分が、最初に後方側の領域から前方側の領域に移動するため、ガード部材の冷却効率が悪いが、この電気ストーブでは、ガード部材が、ヒータおよび反射板の周囲を回転する構成なので、最後に前方側の領域から後方側の領域に移動した部分が、最後に後方側の領域から前方側の領域に移動する。したがって、ガード部材の冷却効率が高い。また、ガード部材が、ヒータおよび反射板の周囲を取り囲むように配置されるとともに、ヒータおよび反射板の周囲を回転する構成なので、電気ストーブの大型化を抑制しつつ、反射板よりも前方側の領域と反射板よりも後方側の領域との間でガード部材の全てを行き来させることができる。
【００１０】
第３の発明にかかる電気ストーブは、第１または第２の発明にかかる電気ストーブにおいて、前記ガード部材の駆動異常を検出する検出手段を有し、前記検出手段によって前記ガード部材の駆動異常が検出された場合に、前記ガード部材の駆動が停止されることを特徴とする。
【００１１】
この電気ストーブでは、ガード部材にユーザの指などが挟まるなどしてガード部材に駆動異常が生じた場合に、ガード部材の駆動が停止するので、安全性が高い。
【００１２】
第４の発明にかかる電気ストーブは、第３の発明にかかる電気ストーブにおいて、前記ガード部材の駆動が停止された場合に、前記ヒータが停止されることを特徴とする。
【００１３】
この電気ストーブでは、ガード部材の駆動が停止した場合に、ヒータが停止するので、安全性が高い。
【発明の効果】
【００１４】
以上の説明に述べたように、本発明によれば、以下の効果が得られる。
【００１５】
第１の発明では、ヒータから放射される熱が当たる反射板よりも前方側の領域で熱せられたガード部材が、ヒータから放射される熱が当たらない反射板よりも後方側の領域に移動することで冷やされるので、反射板よりも前方側の領域と反射板よりも後方側の領域との間でガード部材を行き来させることで、ガード部材が高温となるのを防止できる。
【００１６】
第２の発明では、ガード部材の全てが、反射板よりも前方側の領域と反射板よりも後方側の領域とを行き来するので、ガード部材が高温となるのを防止しやすい。また、ガード部材が、例えばヒータおよび反射板の周囲において往復駆動する構成の場合には、最後に前方側の領域から後方側の領域に移動した部分が、最初に後方側の領域から前方側の領域に移動するため、ガード部材の冷却効率が悪いが、この電気ストーブでは、ガード部材が、ヒータおよび反射板の周囲を回転する構成なので、最後に前方側の領域から後方側の領域に移動した部分が、最後に後方側の領域から前方側の領域に移動する。したがって、ガード部材の冷却効率が高い。また、ガード部材が、ヒータおよび反射板の周囲を取り囲むように配置されるとともに、ヒータおよび反射板の周囲を回転する構成なので、電気ストーブの大型化を抑制しつつ、反射板よりも前方側の領域と反射板よりも後方側の領域との間でガード部材の全てを行き来させることができる。
【００１７】
第３の発明では、ガード部材にユーザの指などが挟まるなどしてガード部材に駆動異常が生じた場合に、ガード部材の駆動が停止するので、安全性が高い。
【００１８】
第４の発明では、ガード部材の駆動が停止した場合に、ヒータが停止するので、安全性が高い。
【図面の簡単な説明】
【００１９】
【図１】本発明の実施形態にかかる電気ストーブを正面上方から見たときの図である。
【図２】図１に示す電気ストーブの水平断面図である。
【図３】図１に示す電気ストーブの制御ブロック図である。
【図４】本発明の変形例にかかる電気ストーブの概略図であり、（ａ）は、ガード部材が反射板よりも前方側の領域の中央にある場合、（ｂ）は、ガード部材が反射板よりも前方側の領域の右側に移動した場合、（ｃ）は、ガード部材が反射板よりも前方側の領域の左側に移動した場合を示す。
【発明を実施するための形態】
【００２０】
以下、図面を参照しつつ、本発明の実施形態について説明する。
【００２１】
本実施形態の電気ストーブ１は、図１−図３に示すように、ケーシング２、基台３、ヒータ４、反射板５、ガード部材６、検出センサ７（検出手段）、駆動部８、制御部１０等を有している。
【００２２】
ケーシング２は、上下方向に沿って延びており、前面に略長方形上の開口を有している。ケーシング２の下方には、基台３が配置されている。また、図１では図示を省略しているが、ケーシング２の上方には、天板が配置されており、ケーシング２の上方が塞がれている。
【００２３】
ヒータ４（発熱体）は、棒状に形成されたシーズヒータである。このヒータ４は、ケーシング２内においてケーシング２の長手方向と平行に延びている。すなわち、上下方向に沿って延びている。なお、ヒータ４は、シーズヒータで構成されている場合に限らず、石英管ヒータ、セラミックヒータ等でもよい。
【００２４】
反射板５は、ヒータ４の後方に配置され、ヒータ４から放射される熱を前方に反射する。この反射板５は、ケーシング２内においてケーシング２の長手方向と平行に延びている。すなわち、上下方向に沿って延びている。図２に示すように、反射板５は、ヒータ４の後方および左右両側方を覆うように湾曲している。図２に示すように、反射板５の前方側の前方側領域が、ヒータ４の熱が当たる領域であり、反射板５の後方側の後方側領域が、ヒータ４の熱が当たらない領域である。
【００２５】
ガード部材６は、金属製の線材によって例えば網目状（線状であってもよい）に形成されており、ユーザがヒータ４に直接触れるのを防止する安全ガードの役割を果たしている。このガード部材６は、図１及び図２に示すように、ヒータ４および反射板５の周囲を取り囲むように配置されており、水平断面視において円形形状である。したがって、このガード部材６は、反射板５よりも前方側の領域と反射板５よりも後方側の領域とにまたがって配置される。このガード部材６は、モータ等を備えた駆動部８によって、ヒータ４および反射板５の周囲を一方向に連続して回転するように、回転駆動される。したがって、ガード部材６の全域が、反射板５よりも前方側の領域と反射板５よりも後方側の領域との間を交互に繰り返し移動する。そのため、ガード部材６は、ヒータ４から放射される熱に当たって熱せられる状態と、ヒータ４から放射される熱に当たらないで冷やされる状態とを交互に繰り返す。
【００２６】
検出センサ７（検出手段）は、ガード部材６の駆動異常を検出するセンサである。この検出センサ７は、例えばガード部材６とケーシング２との間に配置されており、ガード部材６が回転する時間やガード部材６の回転速度を計測するなどしてガード部材６の駆動異常を検出している。したがって、ユーザが安全ガードの線材と線材との間に指を挟むなどして、ガード部材６の回転が停止した場合、またはガード部材６の回転速度が通常より遅くなった場合に、その駆動異常を検出できるようになっている。
【００２７】
制御部１０は、上述のヒータ４、検出センサ７、駆動部８などと電気的に接続されている。この制御部１０は、検出センサ７から駆動異常についての信号を受け取った場合に、駆動部８を停止して、ガード部材６の駆動を停止する。また、この制御部１０は、ガード部材６の駆動を停止した場合に、ヒータ４を停止する。
【００２８】
＜本実施形態にかかる電気ストーブの特徴＞
本実施形態にかかる電気ストーブ１には、以下の特徴がある。
【００２９】
本実施形態の電気ストーブ１では、ヒータ４から放射される熱が当たる反射板５よりも前方側の領域で熱せられたガード部材６が、ヒータ４から放射される熱が当たらない反射板５よりも後方側の領域に移動することで冷やされるので、反射板５よりも前方側の領域と反射板５よりも後方側の領域との間でガード部材６を行き来させることで、ガード部材６が高温となるのを防止できる。
【００３０】
また、本実施形態の電気ストーブ１では、ガード部材６の全てが、反射板５よりも前方側の領域と反射板５よりも後方側の領域とを行き来するので、ガード部材６が高温となるのを防止しやすい。また、ガード部材６が、例えばヒータ４および反射板５の周囲において往復駆動する構成の場合には、最後に前方側の領域から後方側の領域に移動した部分が、最初に後方側の領域から前方側の領域に移動するため、ガード部材６の冷却効率が悪いが、この電気ストーブ１では、ガード部材６が、ヒータ４および反射板５の周囲を回転する構成なので、最後に前方側の領域から後方側の領域に移動した部分が、最後に後方側の領域から前方側の領域に移動する。したがって、ガード部材６の冷却効率が高い。また、ガード部材６が、ヒータ４および反射板５の周囲を取り囲むように配置されるとともに、ヒータ４および反射板５の周囲を回転する構成なので、電気ストーブ１の大型化を抑制しつつ、反射板５よりも前方側の領域と反射板５よりも後方側の領域との間でガード部材６の全てを行き来させることができる。
【００３１】
また、本実施形態の電気ストーブ１では、ガード部材６にユーザの指などが挟まるなどしてガード部材６に駆動異常が生じた場合に、ガード部材６の駆動が停止するので、安全性が高い。
【００３２】
また、本実施形態の電気ストーブ１では、ガード部材６の駆動が停止した場合に、ヒータ４が停止するので、安全性が高い。
【００３３】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００３４】
上述の実施形態では、ガード部材６が、ヒータ４および反射板５の周囲を取り囲むように配置されるとともに、ヒータ４および反射板５の周囲を回転する場合について説明したが、ガード部材は、反射板よりも前方側の領域と反射板よりも後方側の領域との間を移動するのであれば、その構成に限定されない。例えば、図４（ａ）−（ｃ）に示すように、ガード部材１６が、反射板５よりも前方側の領域と反射板５よりも後方側の領域とにまたがって配置されており、このガード部材１６の少なくとも一部が反射板５よりも前方側の領域と反射板５よりも後方側の領域との間を移動するように、ガード部材１６が左右に往復駆動するものであってもよい。ただし、ガード部材１６は、駆動されている間、ユーザがヒータ４に直接触わることができないように、常に反射板５よりも前方側の領域の全域にある必要がある。
【００３５】
また、上述の実施形態では、ガード部材６の全域が、反射板５よりも前方側の領域と反射板５よりも後方側の領域との間を移動する場合について説明したが、ガード部材の少なくとも一部が、反射板よりも前方側の領域と反射板よりも後方側の領域との間を移動するように構成されてもよい。
【００３６】
また、上述の実施形態では、ガード部材６の駆動異常が検出された場合に、ガード部材６の駆動が停止されるが、ガード部材の駆動が停止されなくてもよいし、ガード部材の駆動異常を検出する検出手段を有していなくてもよい。
【００３７】
また、上述の実施形態では、ガード部材６の駆動が停止された場合に、ヒータ４が停止されるが、ヒータ４が停止されなくてもよい。
【００３８】
また、上述の実施形態では、ガード部材６が、駆動部８によって駆動される場合について説明したが、ガード部材を手動で移動させる構成であってもよい。
【産業上の利用可能性】
【００３９】
本発明を利用すれば、ガード部材が高温となるのを防止できる。
【符号の説明】
【００４０】
１  電気ストーブ
４  ヒータ
５  反射板
６、１６  ガード部材
７  検出センサ（検出手段）
【図１】
2016020762.tif 000003
【図２】
2016020762.tif 000004
【図３】
2016020762.tif 000005
【図４】
2016020762.tif 000006